【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
成分Ｘ、Ｙ及びＺを含む硬化性組成物であって、前記Ｘ成分が、アクリル系モノマーを含み；前記Ｙ成分が、少なくとも１つのブロックＡと少なくとも１つのブロックＢとのブロックコポリマーを含み；前記Ｚ成分が、多官能性架橋剤を含み；
前記硬化性組成物が、硬化前は周囲温度で均質な液体であり、前記硬化性組成物が、硬化後にナノ構造化され；
前記Ｚ成分が、前記Ｘ成分とは異なる、
硬化性組成物。
【請求項２】
前記Ｚ成分が、Ｘ成分よりも反応性が低い、請求項１に記載の硬化性組成物。
【請求項３】
ＸからＡ及びＸからＢに対するブロック親和性の差が、＞０．７（ｃａｌ／ｃｍ３）１／２又は＞１．４（Ｊ／ｃｍ３）１／２である、請求項１又は２に記載の硬化性組成物。
【請求項４】
５０〜９０重量％のＸ成分、１〜３０重量％のＹ成分及び５〜６０重量％のＺ成分を含み、Ｘ＋Ｙ＋Ｚ＝１００％である、請求項１〜３のいずれか一項に記載の硬化性組成物。
【請求項５】
前記Ｘ成分が、Ｙ成分及びＺ成分の分子量より小さい分子量を有する、請求項１〜４のいずれか一項に記載の硬化性組成物。
【請求項６】
前記硬化性組成物が、光開始剤、単官能又は多官能モノマー、湿潤剤、接着促進剤、充填剤、他のレオロジー調整剤、チキソトロープ剤、可塑剤、ＵＶ吸収剤、ＵＶ安定剤、分散剤、酸化防止剤、帯電防止剤、滑剤、乳白剤、消泡剤及びそれらの組み合わせからなる群から選択される少なくとも１つの成分を、Ｘ＋Ｙ＋Ｚの総重量又は対重量に対してゼロを超えて３０重量％以下の範囲でさらに含む、請求項１〜５のいずれか一項に記載の硬化性組成物。
【請求項７】
前記Ｚ成分が、メタクリレート、アクリレート、ビニル、アリル、エポキシ、オキセタン、ヒドロキシル及び開環官能基性を有するオリゴマー又はモノマーからなる群から選択され、前記Ｚ成分が、前記官能基性に関して、少なくとも２つ、最大６つの官能基を有する、請求項１〜６のいずれか一項に記載の硬化性組成物。
【請求項８】
前記Ｚ成分が、オリゴマーから選択され、ポリエステル系骨格、ポリエーテル系骨格又はポリウレタン系骨格を含む、請求項１〜７のいずれか一項に記載の硬化性組成物。
【請求項９】
前記Ｚ成分が、オリゴマーから選択され、前記オリゴマーが、１，０００〜５０，０００ダルトンの範囲の分子量を有するか、又は１５０〜２，５００ダルトンの範囲の分子量を有するモノマーから選択される、請求項１〜８のいずれか一項に記載の硬化性組成物。
【請求項１０】
前記硬化性組成物が、α−ヒドロキシケトン、フェニルグリオキシレート、ベンジルジメチルケタール、α−アミノケトン、モノ−アシルホスフィン、ビス−アシルホスフィン、ホスフィンオキシド及びメタロセン並びにそれらの組み合わせからなる群から選択される光開始剤を含む、請求項１〜９のいずれか一項に記載の硬化性組成物。
【請求項１１】
前記Ｙ成分の少なくとも１つのＡブロック及び少なくとも１つのＢブロックが異なり、官能化若しくは非官能化されたポリメチルメタクリレート（ＰＭＭＡ）、ポリブチルアクリレート（ＰＢＡ）、ポリジメチルアクリルアミド（ＰＤＭＡ）からなる群から選択されるか、又はエチルヘキシルアクリレート、ケイ素含有アクリレート、アルキルアクリレート、ＰＥＧ系モノアクリレート、アクリルオリゴマーアクリレート、イソボルニルアクリレート、シクロヘキシルアクリレート、ノニル−ビニルピロリドン、環状トリホルミルアクリレート、アクリルアミド、エトキシ（エトキシエチル）アクリレート及びヒドロキシエチルアクリレート／メタクリレートの官能化若しくは非官能化ポリマーからなる群から選択される、請求項１〜１０のいずれか一項に記載の硬化性組成物。
【請求項１２】
成分Ｙの少なくとも１つのＡブロックが、１，０００〜５０，０００ダルトンの範囲の分子量を有する官能化又は非官能化されたポリアクリレート及びポリメタクリレートからなる群から選択される、請求項１〜１１のいずれか一項に記載の硬化性組成物。
【請求項１３】
成分Ｙの少なくとも１つのＢブロックが、２，５００〜６０，０００ダルトンの範囲の分子量を有する官能化又は非官能化されたポリアクリレートからなる群から選択される、請求項１〜１２のいずれか一項に記載の硬化性組成物。
【請求項１４】
ブロック親和性の差が、＞１．０（ｃａｌ／ｃｍ３）１／２又は＞２．０（Ｊ／ｃｍ３）１／２である、請求項３に記載の硬化性組成物。
【請求項１５】
前記Ｙ成分の少なくとも１つのＡブロックと前記少なくとも１つのＢブロックとが互いに非相容性である、請求項１〜１４のいずれか一項に記載の硬化性組成物。
【請求項１６】
前記Ｘ成分中の前記アクリル系モノマーが、単官能モノマーである、請求項１〜１５のいずれか一項に記載の硬化性組成物。
【請求項１７】
前記Ｘ成分が、エチルヘキシルアクリレート、シリコンアクリレート、アルカンアクリレート（エチルヘキシルアクリレート以外のアルカンアクリレート）、ＰＥＧ系モノアクリレート、イソボルニルアクリレート、シクロヘキシルアクリレート、ノニル−ビニルピロリドン、環状トリホルミルアクリレート、アクリルアミド、エトキシ（エトキシエチル）アクリレート、ヒドロキシエチルアクリレート／メタクリレート、トリシクロデカンモノアクリレート、テトラヒドロフルフリルアクリレート、アダマンチルアクリレート、アクリロイルモルホリン及びそれらのエトキシル化等価物からなる群から選択される、請求項１〜１６のいずれか一項に記載の硬化性組成物。
【請求項１８】
添加剤として請求項１〜１７のいずれか一項に記載の硬化性組成物を含む、３Ｄ印刷材料前駆体組成物。
【請求項１９】
請求項１〜１７のいずれか一項に記載の硬化性組成物が、前記前駆体組成物の総重量に対して、約１〜８０重量％の重量比で、前記前駆体組成物を形成するための３Ｄ印刷材料に添加される、請求項１８に記載の３Ｄ印刷材料前駆体組成物。
【請求項２０】
請求項１〜１７のいずれか一項に記載の硬化性組成物又は請求項１８に記載の３Ｄ印刷材料前駆体組成物の硬化、特に放射線硬化から生じる、硬化組成物。
【請求項２１】
前記組成物が、３Ｄ印刷樹脂、３Ｄ印刷インク、３Ｄ印刷コーティング又は３Ｄ印刷接着剤を形成する、請求項２０に記載の硬化組成物。
【請求項２２】
前記３Ｄ印刷の樹脂、インク、コーティング又は接着剤が、３Ｄインプレッションプロセス又はステレオリソグラフィプロセスによって形成される、請求項２１に記載の硬化組成物。
【請求項２３】
物品の耐衝撃性を向上させる方法であって、請求項１〜１７のいずれか一項に記載の硬化性組成物を３Ｄ印刷材料に添加して、３Ｄ印刷材料前駆体組成物を形成することを含む、方法。
【請求項２４】
前記３Ｄ印刷材料前駆体組成物の硬化とともに３Ｄ印刷して、３Ｄ印刷材料又は３Ｄ印刷物を形成することを含む、請求項２３に記載の方法。
【請求項２５】
前記３Ｄ印刷材料前駆体組成物及び前記３Ｄ印刷材料が均質である、請求項２４に記載の方法。
【請求項２６】
耐衝撃性向上添加剤として、特に３Ｄインプレッションプロセス又はステレオリソグラフィプロセスによる３Ｄ印刷材料又は３Ｄ印刷物用の３Ｄ印刷材料前駆体組成物における、請求項１〜１７のいずれか一項に記載の硬化性組成物の使用。
【請求項２７】
３Ｄ印刷用途における請求項１〜１７のいずれか一項に記載の硬化性組成物の使用。
【請求項２８】
請求項１〜１７のいずれか一項に記載の硬化性組成物又は請求項１８若しくは１９に記載の３Ｄ印刷材料前駆体組成物から生じる、３Ｄ印刷物又は３Ｄ印刷材料。
【請求項２９】
請求項１〜１７のいずれか一項に記載の硬化性組成物を含まない３Ｄ印刷物に対して向上した耐衝撃性を有する、請求項２８に記載の３Ｄ印刷物又は３Ｄ印刷材料。